(57)【特許請求の範囲】
【請求項１】
ディスクに記録されたデータを読み出す光ピックアップと、前記光ピックアップから出力されるアナログ再生信号を２値信号に変換する変換手段と、前記２値信号より復調を行う復調回路とを備えた光ディスク再生装置において、
前記ディスクの種類を判別する判別手段を備え、
前記変換手段は、前記アナログ再生信号をデジタル信号に変換するＡＤコンバータと、前記光ピックアップでの光学系を経由することによって生ずる周波数特性を補正する波形等化手段と、前記波形等化手段の出力を前記復調回路での動作クロックに基づいてデータを補間するオーバーサンプリング回路と、前記オーバーサンプリング回路の出力を所定のスライスレベルで判定することにより前記２値信号を出力する比較手段とを有し、
前記比較手段は、前記オーバーサンプリング回路の出力を前記スライスレベルで比較する第１の比較回路と、前記第１の比較回路の判定結果に基づいて前記スライスレベルを出力する手段と、前記オーバーサンプリング回路の出力を前記判別手段からの信号に応じて前記スライスレベルまたは前記スライスレベルに一定のオフセットが付加されたレベルと比較する第２の比較回路とを有することを特徴とする光ディスク再生装置。
【請求項２】
前記スライスレベルを出力する手段はアップダウンカウンタであり、このアップダウンカウンタの出力のビットを選択することによりゲインを切り換えて前記スライスレベルとすることを特徴とする請求項１に記載の光ディスク再生装置。
【請求項３】
前記波形等化手段は、周波数補正を行うデジタルフィルタと、そのデジタルフィルタでの演算結果に一定のゲインを与えるゲイン切換手段とを有することを特徴とする請求項１または請求項２に記載の光ディスク再生装置。
【請求項４】
前記オーバーサンプリング回路は、入力されるサンプルごとのデータの間を一定の割合で変化するようにオーバーサンプリングを行うことを特徴とする請求項１乃至請求項３のいずれかに記載の光ディスク再生装置。
【発明の詳細な説明】
【０００１】
【発明の属する技術分野】
本発明は、ＣＤ（コンパクト・ディスク）、ＭＤ（ミニ・ディスク）等の光ディスク再生装置に関する。
【０００２】
【従来の技術】
従来の光ディスク再生装置では、ディスクから光ピックアップで読み出したアナログ再生信号を、オペアンプ（演算増幅器）、抵抗、コンデンサ等のアナログ素子を用いて、波形等化、オートレベルスライス処理を行い、その後、デジタル回路である復調回路に入力していた。そして、復調回路でクロック抽出やエラー訂正等を行い、復調回路より出力されるデジタル信号をＤＡコンバータでＤＡ変換を行うことにより光ディスク再生装置はアナログの音声信号を出力していた。
【０００３】
【発明が解決しようとする課題】
しかしながら、従来の光ディスク再生装置では、アナログ素子の使用個数が多いため、これらを配置する基板面積が増大し、コストが増大する原因となっていた。また、光ピックアップからのアナログ再生信号は微弱であるため、システム構成の変更等を行うことがあるが、このとき、基板パターンの再設計、アナログ素子の再選定を行う必要があるため、開発作業量が増大するという問題があった。
【０００４】
また、光ディスクには、再記録可能な録再ディスクや再生専用のディスク等のように種類の異なるディスクがあり、前記再生専用のディスクの場合には、製造時のピット面のふらつきによって再生信号がスライスレベルに対して非対称となるディスクがまれに存在し、このようなふらつきに対処するためにオートレベルスライスのスライスレベルにオフセットを付加するのはアナログ再生信号の経路が長くなるので、上述の問題点を考えると実用上好ましくなかった。
【０００５】
本発明は上記課題を解決するものであり、従来のアナログ素子で行われていた波形等化やオートレベルスライス等の処理をデジタル回路で行う光ディスク再生装置を提供することを目的とする。
【０００６】
【課題を解決するための手段】
上記目的を達成するために、本発明では、ディスクに記録されたデータを読み出す光ピックアップと、前記光ピックアップから出力されるアナログ再生信号を２値信号に変換する変換手段と、前記２値信号より復調を行う復調回路とを備えた光ディスク再生装置において、前記ディスクの種類を判別する判別手段を備え、前記変換手段は、前記アナログ再生信号をデジタル信号に変換するＡＤコンバータと、前記光ピックアップでの光学系を経由することによって生ずる周波数特性を補正する波形等化手段と、前記波形等化手段の出力を前記復調回路での動作クロックに基づいてデータを補間するオーバーサンプリング回路と、前記オーバーサンプリング回路の出力を所定のスライスレベルで判定することにより前記２値信号を出力する比較手段とを有し、前記比較手段は、前記オーバーサンプリング回路の出力を前記スライスレベルで比較する第１の比較回路と、前記第１の比較回路の判定結果に基づいて前記スライスレベルを出力する手段と、前記オーバーサンプリング回路の出力を前記判別手段からの信号に応じて前記スライスレベルまたは前記スライスレベルに一定のオフセットが付加されたレベルと比較する第２の比較回路とを有するようにしている。
【０００７】
このような構成によると、光ディスク再生装置は光ピックアップで読み出したアナログ再生信号をＡＤコンバータでデジタル信号に変換し、デジタルフィルタ等で周波数特性の補正を行う。そして、光ディスク再生装置は、オーバーサンプリング回路で、例えば波形等化手段より出力される信号のサンプルデータの間を直線補間によってオーバーサンプリングを行う。これを、例えば第１及び第２の比較回路を用いてゼロクロス点近傍に設定されたスライスレベルで判定する。スライスレベルは例えば第１の比較回路からの判定結果によってアップ又はダウン動作するアップダウンカウンタである。第１のカウンタの判定結果に基づいてアップダウンカウンタは状態が変化し、オートレベルスライスを行うことができる。また、光ディスク再生装置は、例えば録再ディスクや再生専用ディスクのようなディスクの種類を、例えば機械スイッチを用いてディスク構造の違いによって検出して、マイクロコンピュータ等でスライスレベルに一定のオフセットを付加するようにすることもできる。
【０００８】
また、本発明では上記構成において、さらに、前記波形等化手段は、周波数補正を行うデジタルフィルタと、そのデジタルフィルタでの演算結果に一定のゲインを与えるゲイン切換手段とを有するようにしている。
【０００９】
このような構成によると、光ディスク再生装置は波形等化手段ではデジタルフィルタ等で周波数特性の補正を行い、マイクロコンピュータ等からの設定信号により出力するビットのシフトの切換を行う。ビットシフトにより信号を実質的に拡大した場合には演算結果にオーバーフローが生ずることがあるが、オートレベルスライスではゼロクロス点近傍での判断が重要となるので、オーバーフローしている場合にはレベルクリップを行っても対処する。これにより、スライスレベルの比較には問題が生じない。
【００１０】
【発明の実施の形態】
以下、本発明の一実施形態について図面を参照して説明する。図１は本実施形態の光ディスク再生装置の全体を示すブロック図である。本実施形態の光ディスク再生装置はディスク１より音声データを読み取ってアナログの音声信号を出力するものである。再生時に光ピックアップ２はディスク１にレーザー光を照射し、その反射光を取り込むことにより、ディスク１に記録されているデータを読み取る。ディスク１には変調された音声データが記録されており、光ピックアップ２はこの変調された音声データをアナログ再生信号として読み出す。そして、ＡＤコンバータ５でそのアナログ再生信号を８．５ＭＨｚのサンプリングクロックで、８ビットのパラレルデータに変換する。
【００１１】
次に、波形等化手段６で光ピックアップ２での光学系を経由することによって生ずる周波数特性の補正を行う。波形等化手段６では図２に示すように、ＦＩＲ（Finite Impulse Response）型デジタルフィルタ２０が用いられており、これにより周波数特性の補正を行う。本実施形態で、ＦＩＲ型デジタルフィルタ２０を用いたのは、システム制御用のマイクロコンピュータ（以下「システムマイコン」と略す）４によりフィルタ係数Ａ及びＢの設定が簡単に行うことができ、また、後述するように係数値によっては群遅延特性が平坦となるからである。
【００１２】
再び図１において、次にオーバーサンプリング回路７にて、８．５ＭＨｚのサンプリングクロックで抽出された波形等化手段６からの出力を、４倍のクロック即ち３４ＭＨｚのサンプリングデータに変換する。オーバーサンプリング回路７でオーバーサンプリングを行うのは、後段に設けられている復調回路１２が３４ＭＨｚで動作するので、これとデータ速度を等しくするためである。
【００１３】
次に、比較手段１５では、オーバーサンプリング回路７の出力をスライスレベルで判定し、「１」又は「０」の２値を示す１ビット信号を出力する。比較手段１５では、２つの比較回路８、１０とアップダウンカウンタ（以下「Ｕ／Ｄカウンタ」という）９を用いてディスク１の回転ぶれ等に追随してスライスレベルをゼロクロス点近傍を変化させている。比較手段１５での動作について詳しくは後述する。
【００１４】
次に、復調回路１２では、比較手段１５から入力される２値信号で、クロック抽出、シンク検出、エラー訂正等を行う。そして、ＤＡコンバータ１３で、復調回路１２からの信号をアナログの音声信号に変換し、光ディスク再生装置から出力する。
【００１５】
発振回路１４は３４ＭＨｚのクロックをオーバーサンプリング回路７及び復調回路１２に出力しており、オーバーサンプリング回路７では３４ＭＨｚのクロックを分周することにより８．５ＭＨｚのクロックを出力し、ＡＤコンバータ５及び波形等化手段６に送る。
【００１６】
また、システムマイコン４では上述の各回路を集中管理しており、出力ＯＵＴ１によってオフセットの出力、出力ＯＵＴ２によって波形等化手段６の出力ゲインの切り換え、出力ＯＵＴ３によってＵ／Ｄカウンタ９の出力ゲインの切り換えを行っている。これらの設定によりシステムマイコン４は適切なデータ読み取りを行うようにしている。
【００１７】
また、システムマイコン４では、入力ＩＮに接続される機械スイッチ３によってディスク１が再生専用ディスクであるか、録再ディスクであるか判別し、再生専用ディスクの場合には出力ＯＵＴ１に一定のオフセット値ｇを出力し、それ以外では出力ＯＵＴ１を「０」とする。
【００１８】
図２は上述のように波形等化手段６（図１参照）の内部構成を示すブロック図である。ＡＤコンバータ５（図１参照）からの８ビットのデータは、まずＦＩＲ型デジタルフィルタ２０で波形等化され、シフト回路３１でシステムマイコン４（図１参照）より入力される信号ａに基づいて一定の演算を行う。シフト回路３１での動作については後述する。
【００１９】
ＦＩＲ型デジタルフィルタ２０は５タップのフィルタであり、５つのレジスタ２１〜２５と、４つの乗算器２６〜２９と、加算器３０から成る。また、レジスタ２１〜２５には８．５ＭＨｚのクロックが入力され、８．５ｋＨｚで動作する。
【００２０】
３番目のレジスタ２３に対して乗算器２６〜２９での乗算係数が対称であれば、上述した群遅延特性が平坦な加算出力ｂが加算器３０より得られる。ＦＩＲ型デジタルフィルタ２０では、乗算器２６、２９については乗算係数Ａとし、乗算器２７、２８については乗算係数Ｂとし、レジスタ２３については乗算器を設けないようにしている。尚、出力ｂは９ビットである。
【００２１】
シフト回路３１はゲイン切換手段及び演算結果にオーバーフローがある場合にレベルクリップを行う手段である。シフト回路３１は次のような処理を行う。フィルタ２０の出力ｂを、ここでは説明のために図３に示すようにＭＳＢ（Most Significant Bit）からＬＳＢ（Least Significant Bit）まで「ｂ８〜ｂ０」で表す。システムマイコン４（図１参照）からのゲイン選択信号ａが「０」である場合、シフト回路３１は９ビットの「ｂ８〜ｂ０」のうち上位８ビットを選択して８ビットの出力ｃとする。
【００２２】
一方、ゲイン選択信号ａが「１」である場合、上位のｂ８及びｂ７ビットを符号ビットとして用い、ｂ７＝ｂ８のときには下位８ビットを出力ｃとする。ｂ７≠ｂ８のときには演算結果がオーバーフローを起こしており、シフト回路３１は、ｂ８＝「０」ではｃ＝「０１１１１１１１」を出力し、ｂ８＝「１」ではｃ＝「１０００００００」を出力する。図３では、ｂ８ビットを用いて図示している。
【００２３】
図４のシフト演算による波形例に示すように、ＦＩＲ型デジタルフィルタ２０の出力ｂの上位８ビット「ｂ８〜ｂ１」が図４（ａ）に示すような波形を描く場合、ａ＝「１」であればシフト回路３１は基本的にａ＝「１」の場合に比べて２倍に拡大した信号を出力する。
【００２４】
図４（ｂ）に示す波形例では、まず出力ｃはゼロクロス点Ａから始まり、「０１１１１１１１」まで上昇する。そして、これより大きな値ではオーバーフローとなるので、期間Ｂにおいて出力ｃは「０１１１１１１１」となる。また、負側では期間Ｄにおいて出力ｃは「１０００００００」となる。このようにシフト回路３１は、ａ＝「１」の場合には出力を２倍にして且つオーバーフローしているときにはレベルクリップを行う処理をする。
【００２５】
後段の比較手段１５（図１参照）では、図４（ｂ）におけるゼロクロス点近傍Ａ、Ｃ、Ｅでの値が重要で、期間Ｂ、Ｄの付近での出力ｃはあまり問題とならない。そのため、データの入力レベルが小さいときなどにａ＝「１」と設定するのはスライスレベルの比較の精度が向上するので効果的である。
【００２６】
次に、オーバーサンプリング回路７（図１参照）は、入力データについて８．５ＭＨｚから復調回路１２の動作クロック３４ＭＨｚにオーバーサンプリングを行うが、これは次に述べるような直線補間によって行う。
【００２７】
図５に示す波形例で説明すると、オーバーサンプリング回路７に８．５ＭＨｚのデータが順に４０〜４８に入力される一般のオーバーサンプリングでは、点線５５で示すような前置補間を行っている。前置補間というのは、期間５０ではデータ４０と同じデータを繰り返し出力し、次のデータ４１の入力後の期間５１ではデータ４１と同じデータを繰り返していくような補間である。しかし、この前置補間では、期間５２のようにデータがゼロクロス点近傍Ｋとなる場合には、平坦なデータが連続して存在することにより、次段の比較手段１５ではオートレベルスライスの結果が不安定となりやすい。
【００２８】
これに対して、本実施形態では直線補間を行っており、例えば期間５０では、その両端のデータ４０とデータ４１の間を直線的に一定の割合で変化するように、オーバーサンプリング回路７（図１参照）はデータ６０、６１、６２を出力する。そして、次の期間５１では、その両端のデータ４１、４２から直線的に変化するようにデータ６３、６４、６５を出力する。これにより、ゼロクロス点近傍Ｋでもデータが平坦となる期間の短縮を図っている。したがって、比較手段１５ではオートレベルスライスの結果が不安定とはなりにくい。
【００２９】
かかる直線補間を実現するオーバーサンプリング回路７の具体例を図６に示し、その回路のタイミングチャートを図７に示す。図６において、分周回路７６では、発振回路１４（図１参照）からの３４ＭＨｚのクロックを入力し、１／２分周及び１／４分周を行うことにより１７ＭＨｚ及び８．５ＭＨｚのクロックを出力する。８．５ＭＨｚのクロックについてはＡＤコンバータ５及び波形等化手段６にも出力される。
【００３０】
ノット回路７７は１／２分周された１７ＭＨｚの信号の反転を行う。また、ノア回路７８は、分周回路７６で１／４分周された信号と、ノット回路７７の出力との否定論理和（ＮＯＲ）をとる。Ｄフリップフロップ７９では、Ｄ端子にノア回路７８の出力が入力され、クロック端子に３４ＭＨｚのクロックが入力される。これにより、出力端子Ｑより図７（ニ）に示すような８．５ＭＨｚの信号が出力される。
【００３１】
また、レジスタ７０では入力される８．５ＭＨｚのデータを記憶し、減算回路７１で、現在入力されているデータから１サンプル前のデータを減算する。次に、減算回路７１の出力をレジスタ７２で２ビットシフトを行ってデータ値を１／４とする。
【００３２】
次に、加算器７３ではレジスタ７５の出力と、レジスタ７２の出力を加算する。選択器７４ではレジスタ７０の出力と加算器７３の出力とをＤフリップフロップ７９からの信号によって切り換える。選択器７４は入力端子Ｓの入力が「０」であるときに加算器７３からの信号を出力し、逆に入力端子Ｓの入力が「１」であるときにレジスタ７０からの信号を出力する。レジスタ７５は選択器７４からのデータを３４ＭＨｚのクロックで記憶していく。これにより、レジスタ７５は直線補間によるオーバーサンプリングを行ったデータを出力する。
【００３３】
図７において図６を参照しながら説明すると、（イ）は発振回路１４（図１参照）から供給される３４ＭＨｚのクロックである。（ロ）は分周回路７６より出力される１／４分周された８．５ＭＨｚのクロックである。（ハ）は波形等化手段６（図１参照）よりオーバーサンプリング回路７に入力される８ビットのデータで、データがＤ１、Ｄ２・・・・のように８．５ＭＨｚで更新される。
【００３４】
（ニ）はＤフリップフロップ７９より出力される選択器７４のための信号である。（ホ）はレジスタ７０より出力される８ビットのデータであり、（ハ）と比較しても分かるように１サンプル前のデータＤ０、Ｄ１・・・となる。（ヘ）はレジスタ７２の出力であり、期間Ｔ１ではＬ＝（Ｄ２−Ｄ１）／４となり、次の期間Ｔ２ではＭ＝（Ｄ２−Ｄ１）／４となり、期間Ｔ３ではＮ＝（Ｄ４−Ｄ３）／４となる。
【００３５】
（ト）はレジスタ７５の出力であり、期間Ｔ１ではまずデータＤ１がセットされ、その後に３４ＭＨｚで上述のＬが加算されていく。同様に、期間Ｔ２ではまずデータＤ２がセットされ、その後に３４ＭＨｚで上述のＭが加算されていく。期間Ｔ３では、まずデータＤ３がセットされ、その後に３４ＭＨｚで上述のＮが加算されていく。このように直線補間によるオーバーサンプリングが行われる。
【００３６】
次に、図１に示すように比較回路８では、オーバーサンプリング回路７の出力と、Ｕ／Ｄカウンタ９の出力とを比較する。比較回路１０では、オーバーサンプリング回路７の出力と、Ｕ／Ｄカウンタ９の出力にシステムマイコン４からのＯＵＴ１出力を加算器１１で加算したものとの比較を行う。このように、Ｕ／Ｄカウンタ９の出力をスライスレベルとしている。
【００３７】
比較回路８及び比較回路１０は両者ともに、オーバーサンプリング回路７の出力の方が大であれば「０」、同じ又は小であれば「１」の２値を示す１ビット信号を出力する。
【００３８】
ディスク１ではＤＳＶ（Digital Sum Value）が０となるようにデータが記録されているので、比較回路８の出力の「１」と「０」の２値の時間的な長さの差が、平均的に０となり、スライスレベルはディスク１の回転ぶれ等に追随して変化する。また、Ｕ／Ｄカウンタ９の出力は１２ビットであり、システムマイコン４の出力ＯＵＴ３によって適当な８ビットが選択されて比較回路８と加算器１１に入力される。このようにして、Ｕ／Ｄカウンタ９のゲイン切り換えが行われる。
【００３９】
以上のように、比較手段１５ではオートレベルスライスが行われ、１ビットの「０」又は「１」の２値の信号を出力する。理想的なディスク１では、その２値出力のパルスの幅の差は平均として０となる。そのため、システムマイコン４の出力ＯＵＴ１は「０」でよい。
【００４０】
この場合、比較回路８と比較回路１０は全く同じ動作をするので、実質的に比較回路１０が存在せず、比較回路８の出力が復調回路１２に入力されていると考えることができる。したがって、ディスク１が理想的である場合には、光ディスク再生装置は正確なオートレベルスライスを行うことができる。
【００４１】
ところで、再生専用ディスクの中には、ディスク製造工程の段階でピット面一様にふらつきのあるものがあり、周期大の信号がこの影響を最も受ける。実際の再生信号では、周期小の信号の出現確率がはるかに大きいため、スライスレベルは前記ふらつきのない正常なディスクとほとんど同じで問題となることが少ない。
【００４２】
図８（ａ）は比較手段１５（図１参照）に入力される波形例を示し、図８（ｂ）はオートレベルスライスにより比較手段１５より出力される「１」又は「０」の２値信号を示している。
【００４３】
ＣＤ及びＭＤでは信号の周期は３Ｔ〜１１Ｔ（ただし、Ｔは１ビット符号の周期）の範囲であり、図８（ａ）に示すように、３Ｔ、１１Ｔ、１１Ｔ、３Ｔの信号周期が連続した場合に、正常なディスクでは比較手段１５には実線９２のような入力があり、矢印９０に示すスライスレベルでは、比較手段１５より実線９４に示す信号が復調回路１２（図１参照）に入力される。
【００４４】
ところが、ピット面にふらつきのあるディスクでは、ピット面側がミラー面側よりも短くなり、点線９３に示すような矢印９０に示すスライスレベルに対して非対称の波形となり、比較手段１５では点線９５のように正常なディスクの場合との不一致が生ずる。これにより、復調回路１２では誤検出することがあるために再生レートが悪化してしまう。
【００４５】
このような問題に対処するために、再生専用ディスクでは一般に録再ディスクに比べて、ジッタ（信号のゆらぎ）が小であることを利用して、図１において、システムマイコン４の出力ＯＵＴ１よりオフセット値ｇを出力し、カウンタ９の出力ｆと加算器１１で加算を行い、ｍ＝ｆ＋ｇとすることにより、図８（ａ）ではスライスレベルを矢印９１に変更する。
【００４６】
このようなオフセットを付加することにより、ミラー面側とピット面側でこのスライスレベルに対して、１１Ｔの両者の長さが一致するようになる。これにより、良好な再生エラーレートを得ることができる。尚、ディスクの判別は機械スイッチ３（図１参照）によりディスク構造の違いをシステムマイコン４で検出することにより行っている。
【００４７】
以上説明したように、本実施形態によれば波形等化やオートレベルスライスのアナログ再生信号を２値のデジタル信号に変換する処理をデジタル回路で行うようにしているので、復調回路１２とともにＬＳＩ（Large Scale Integrated circuit）に内蔵させることができる。したがって、アナログ素子を用いた場合に比べて簡素な回路構成とすることができる。また、設計の変更があっても波形等化手段６での設定値の変更等により容易に対応できる。
【００４８】
【発明の効果】
以上説明したように、本発明では、デジタル方式で波形等化及びレベルスライスを行っているので、ＬＳＩに内蔵させるなどによって回路構成の簡略化を行うことができる。そのため、光ディスク再生装置を安価とすることができ、また、小型化を図ることができる。また、比較手段では２つの比較回路を設けているので、一方の比較回路でオートレベルスライスを行いながら、他方の比較回路ではディスクの種類等に応じてスライスレベルに一定のオフセットを与えることができる。これにより、良好な再生エラーレートを得ることができる。また、例えば機械スイッチのようにディスクの構造の違いからディスクの種類を判別し、この判別結果から例えば再生専用ディスクの場合には、一定のオフセットを付加することによりピットの一様なふらつきにも光ディスク再生装置は信号の誤検出をすることがないようにすることができる。また、デジタル方式なので回路構成を複雑化させることなくオフセットの設定を容易に実現することができる。
【００５０】
さらに、２つの比較回路の設けられている光ディスク再生装置で、一方の比較回路の出力をアップダウンカウンタで、回転ぶれ等に応じてスライスレベルが変化するようにしており、このアップダウンカウンタのビット選択を可能としているので、適切なゲイン設定を行うことができる。
【００５２】
また、ディスクから読み出された信号で重要なのはゼロクロス点近傍なので、この部分を拡大して、オーバーフロー対策を施しておけばよいことになる。これにより、読み出された再生信号がたとえ小さくても精度良く信号を読み取ることができる。
【００５３】
また、復調回路の動作クロックに合わせて直線補間によりオーバーサンプリングを行っているので、ゼロクロス点近傍でのデータ値が平坦となる期間の短縮が図られており、比較手段での比較結果が不安定とならないようにしている。
【図面の簡単な説明】
【図１】  本発明の一実施形態の光ディスク再生装置のブロック図。
【図２】  その光ディスク再生装置の波形等化手段のブロック図。
【図３】 その波形等化手段のシフト回路の動作を示す図。
【図４】 そのシフト回路の動作を示す波形図。
【図５】 その光ディスク再生装置のオーバーサンプリング回路の直線補間を示す  波形図。
【図６】 そのオーバーサンプリング回路の一例のブロック図。
【図７】 そのオーバーサンプリング回路のタイミングチャート。
【図８】 その比較手段のオートレベルスライスを示す図。
【符号の説明】
１ ディスク
２ 光ピックアップ
３ 機械スイッチ
４ システムマイコン
５ ＡＤコンバータ
６ 波形等化手段
７ オーバーサンプリング回路
８ 比較回路
９ アップダウンカウンタ
１０ 比較回路
１１ 加算器
１２ 復調回路
１３ ＤＡコンバータ
１４ 発振回路
１５ 比較手段
２０ ＦＩＲ型デジタルフィルタ
３１ シフト回路
【図１】
0003654755.tif 000002
【図２】
0003654755.tif 000003
【図３】
0003654755.tif 000004
【図４】
0003654755.tif 000005
【図５】
0003654755.tif 000006
【図６】
0003654755.tif 000007
【図７】
0003654755.tif 000008
【図８】
0003654755.tif 000009